(57)【要約】【課題】  ユーザが光ディスクのレイヤー及びエリアに記録されたオーディオデータを容易に確認することができ、ユーザが選択した光ディスクのレイヤー又はエリアに記録されたオーディオデータの再生を短時間で開始することができる光ディスク再生装置を提供する。【解決手段】  光ディスクの第１記録層のステレオエリア、マルチチャンネルエリア及び第２記録層に記録された管理情報を順次読み取る制御をする制御手段と、読取手段が読み取った管理情報を記憶する記憶手段と、記憶手段に記憶された管理情報に基づいて光ディスクに記録されたオーディオデータのタイトルを外部表示装置に表示する表示信号を生成する表示信号生成手段と、外部表示装置に表示されたオーディオデータのタイトルを選択する選択手段とを備え、制御手段は、選択手段により選択されたタイトルのオーディオデータを光ディスクから読み出すように制御する。【選択図】  図１
2006331573.tif 000002
【特許請求の範囲】
【請求項１】
２チャンネルステレオのオーディオデータが記録されたステレオエリア及びマルチチャンネルのオーディオデータが記録されたマルチチャンネルエリアを有することが可能な第１記録層と２チャンネルステレオのオーディオデータが記録された第２記録層を備え第１記録層及び第２記録層に記録されたオーディオデータを管理する管理情報が第１記録層のステレオエリア、マルチチャンネルエリア及び第２記録層の各々に記録された光ディスクを再生する光ディスク再生装置において、
前記光ディスクの第１記録層のステレオエリア、マルチチャンネルエリア又は第２記録層に記録されたオーディオデータと管理情報を読み取る読取手段と、
前記光ディスクが前記読取手段に装着されると前記光ディスクの第１記録層のステレオエリア、マルチチャンネルエリア及び第２記録層に記録された管理情報を順次読み取るように前記読取手段を制御する制御手段と、
前記読取手段が読み取った第１記録層のステレオエリア及びマルチチャンネルエリアの管理情報と第２記録層の管理情報を記憶する記憶手段と、
前記記憶手段に記憶された管理情報に基づいて前記光ディスクの第１記録層のステレオエリア、マルチチャンネルエリア又は第２記録層の各々に記録されたオーディオデータのタイトルを外部表示装置に表示する表示信号を生成する表示信号生成手段と、
外部表示装置に表示されたオーディオデータのタイトルを選択する選択手段とを備え、前記制御手段は、前記選択手段により選択されたタイトルのオーディオデータを管理する管理情報を前記記憶手段から読み出し、当該オーディオデータを前記光ディスクから読み出すように前記読出手段を制御することを特徴とする光ディスク再生装置。
【請求項２】
請求項１記載の光ディスク再生装置において、
外部表示装置に表示するオーディオデータのタイトルを第１記録層のステレオエリアに記録されたオーディオデータのタイトル、第１記録層のマルチチャンネルエリアに記録されたオーディオデータのタイトル及び第２記録層に記録されたオーディオデータのタイトルの中から切り換える切換手段を備え、
前記表示信号生成手段は、前記切換手段により切り換えたオーディオデータのタイトルの表示信号を生成することを特徴とする光ディスク再生装置。
【発明の詳細な説明】
【技術分野】
【０００１】
本発明は、光ディスクに記録されたオーディオデータを再生する光ディスク再生装置に関する。
【背景技術】
【０００２】
デジタルオーディオデータが記録された光ディスクとして、CD-DA（Compact Disc-Digital Audio）がある。このCD-DAには、４４．１kHzのサンプリング周波数でサンプリングされた１６ビットのデジタルオーディオデータが１．６μmのトラックピッチで記録されている。これに対して、サンプリング周波数が２８２２．４kHzであり、デルタシグマ変調された１ビットのデジタルオーディオデータが０．７４μmのトラックピッチで記録された高記録密度の光ディスクがある。
【０００３】
この高記録密度の光ディスクには、上述した２８２２．４kHzでサンプリングされデルタシグマ変調された１ビットのデジタルオーディオデータが記録された記録層（以下HD（High Definition）レイヤーという。）と４４．１kHzでサンプリングされた１６ビットのデジタルオーディオデータが記録された記録層（以下CDレイヤーという。）の２つの記録層を有するハイブリッドレイヤーディスクがある。このハイブリッドレイヤーディスクの他に、１層のHDレイヤーのみを有するシングルレイヤーディスク、２層のHDレイヤーを有するデュアルレイヤーディスクがある。また、高記録密度の光ディスクにおいて、HDレイヤーは、２チャンネルのデジタルオーディオデータを記録する２チャンネルステレオエリアと、６チャンネルまでのマルチチャンネルのデジタルオーディオデータを記録するマルチチャンネルエリアを有する。
【０００４】
このような光ディスクを再生することができる光ディスク再生装置は、HDレイヤーとCDレイヤーの再生を切り換えることができる（例えば、特許文献１参照）。また、HDレイヤーを再生する場合には、２チャンネルステレオエリアとマルチチャンネルエリアを選択することができる。
【０００５】
【特許文献１】特開平１１−２９６８６１号公報
【発明の開示】
【発明が解決しようとする課題】
【０００６】
上述した高記録密度の光ディスクを再生する光ディスク再生装置は、例えばユーザがHDレイヤーのマルチチャンネルエリアに記録されたオーディオデータを再生しているときに再生するレイヤーをCDレイヤーに切り換えると、CDレイヤーに記録されたオーディオデータを管理するTOC（Table Of Contents）情報を高記録密度の光ディスクから読み出し、読み出したTOC情報を記憶部に記憶する。そして、光ディスク再生装置は、記憶部に記憶したCDレイヤーのTOC情報に基づいて、CDレイヤーに記録されたオーディオデータを再生する。TOC情報には、オーディオデータのタイトル情報、トラックの先頭アドレス情報等の情報がある。
【０００７】
同様に、再生するエリアをマルチチャンネルエリアから２チャンネルステレオエリアに切り換えると、光ディスク再生装置は、２チャンネルステレオエリアに記録されたオーディオデータを管理するTOC情報を高記録密度の光ディスクから読み出し、読み出したTOC情報を記憶部に記憶する。そして、光ディスク再生装置は、記憶部に記憶したTOC情報に基づいて、２チャンネルステレオエリアに記録されたオーディオデータを再生する。
【０００８】
このように、従来の光ディスク再生装置では、再生するレイヤー又はエリアを選択すると、選択したレイヤー又はエリアに記録されたTOC情報を読み出し記憶部に記憶し、記憶部に記憶されたTOC情報に基づいてオーディオデータの再生を開始するため、再生するレイヤー又はエリアを選択してから、選択したレイヤー又はエリアに記録されたオーディオデータの再生が開始されるまでに待ち時間があった。このため、従来の光ディスク再生装置では、選択したレイヤー又はエリアに記録されたオーディオデータの再生を短時間で開始することできないという問題があった。
【０００９】
また、従来の光ディスク再生装置は、再生することを選択したレイヤー又はエリアに記録されたTOC情報を記憶部に記憶し、記憶部に記憶したTOC情報に基づいて、表示部にオーディオデータのタイトル等を表示することができる。このため、ユーザは、再生するレイヤー又はエリアに記録されたオーディオデータを確認することができる。
【００１０】
しかしながら、記憶部に記憶されたTOC情報は、再生することを選択したレイヤー又はエリアのTOC情報のみであるため、ユーザは、再生するレイヤー又はエリア以外のレイヤー又はエリアのTOC情報を表示部から確認することができない。このため、ユーザは、光ディスクに添付されたジャケット等からレイヤー及びエリアに記録されたオーディオデータを確認しなければならなかった。
【００１１】
本発明は、上記の課題を解決するためになされたものであり、ユーザが光ディスクのレイヤー及びエリアに記録されたオーディオデータのタイトルを容易に確認することができ、ユーザが選択した光ディスクのレイヤー又はエリアに記録されたオーディオデータの再生を短時間で開始することができる光ディスク再生装置を提供することを目的とする。
【課題を解決するための手段】
【００１２】
上記の課題を解決するために、本願の請求項１記載の発明は、２チャンネルステレオのオーディオデータが記録されたステレオエリア及びマルチチャンネルのオーディオデータが記録されたマルチチャンネルエリアを有することが可能な第１記録層と２チャンネルステレオのオーディオデータが記録された第２記録層を備え第１記録層及び第２記録層に記録されたオーディオデータを管理する管理情報が第１記録層のステレオエリア、マルチチャンネルエリア及び第２記録層の各々に記録された光ディスクを再生する光ディスク再生装置において、前記光ディスクの第１記録層のステレオエリア、マルチチャンネルエリア又は第２記録層に記録されたオーディオデータと管理情報を読み取る読取手段と、前記光ディスクが前記読取手段に装着されると前記光ディスクの第１記録層のステレオエリア、マルチチャンネルエリア及び第２記録層に記録された管理情報を順次読み取るように前記読取手段を制御する制御手段と、前記読取手段が読み取った第１記録層のステレオエリア及びマルチチャンネルエリアの管理情報と第２記録層の管理情報を記憶する記憶手段と、前記記憶手段に記憶された管理情報に基づいて前記光ディスクの第１記録層のステレオエリア、マルチチャンネルエリア又は第２記録層の各々に記録されたオーディオデータのタイトルを外部表示装置に表示する表示信号を生成する表示信号生成手段と、外部表示装置に表示されたオーディオデータのタイトルを選択する選択手段とを備え、前記制御手段は、前記選択手段により選択されたタイトルのオーディオデータを管理する管理情報を前記記憶手段から読み出し、当該オーディオデータを前記光ディスクから読み出すように前記読出手段を制御することを特徴とする。
【００１３】
また、本願の請求項２記載の発明は、請求項１記載の光ディスク再生装置において、外部表示装置に表示するオーディオデータのタイトルを第１記録層のステレオエリアに記録されたオーディオデータのタイトル、第１記録層のマルチチャンネルエリアに記録されたオーディオデータのタイトル及び第２記録層に記録されたオーディオデータのタイトルの中から切り換える切換手段を備え、前記表示信号生成手段は、前記切換手段により切り換えたオーディオデータのタイトルの表示信号を生成することを特徴とする。
【発明の効果】
【００１４】
本発明によれば、ユーザが光ディスクのレイヤー及びエリアに記録されたオーディオデータのタイトルを容易に確認することができ、ユーザが選択した光ディスクのレイヤー又はエリアに記録されたオーディオデータの再生を短時間で開始することができる光ディスク再生装置を提供することができる。
【発明を実施するための最良の形態】
【００１５】
以下、本発明の実施の形態を説明する。本発明の一実施例である光ディスク再生装置は、HDレイヤーとCDレイヤーの記録層を有するハイブリッドレイヤーディスク、１層のHDレイヤーのみを有するシングルレイヤーディスク、２層のHDレイヤーを有するデュアルレイヤーディスクの高記録密度の光ディスクやCDなどの光ディスクに記録されたデジタルオーディオデータを再生することができる再生装置である。
【００１６】
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０は制御部、１１は記憶部、１２は操作部、１３はOSD（On Screen Display）信号生成部、１４はDACを示す。
【００１７】
スピンドルモータ２に固定されたターンテーブル１は、光ディスクを装着する。操作部１２から再生開始の指示が入力されると、サーボ制御部３は、スピンドルモータ２を所定の線速度で回転駆動させる制御をする。また、サーボ制御部３は、再生部である光ピックアップ４からのレーザ光が光ディスクのピット列に正しく追随し、ピット上に合焦するように、図示しないフォーカスサーボ回路とトラッキングサーボ回路を制御する。
【００１８】
光ピックアップ４は、図示しないレーザダイオードと対物レンズを備えている。光ピックアップ４は、CD又はハイブリッドレイヤーディスクのCDレイヤーに記録されたデータを読み取る場合、波長７８０nmのレーザ光を発光し、ハイブリッドレイヤーディスク、シングルレイヤーディスク又はデュアルレイヤーディスクのHDレイヤーに記録されたデータを読み取る場合、波長６５０nmのレーザ光を発光する。また、光ピックアップ４は、CDレイヤー及びHDレイヤーのどちらの記録層にも合焦するように対物レンズの開口数を調節することができる。
【００１９】
光ピックアップ４が読み取ったデジタルオーディオデータは、再生アンプ５により波形整形及び増幅され信号処理部６に入力される。信号処理部６は、CD又はCDレイヤーから読み取ったデジタルオーディオデータの復調、HDレイヤーから読み取ったデジタルオーディオデータの復調、フォーカスエラー信号やトラッキングエラー信号等のエラー信号、同期信号の抜き出し等をしてデジタルオーディオデータをメモリ制御部７に入力する。
【００２０】
メモリ制御部７は、信号処理部６から入力されたデジタルオーディオデータをRAM８に入力するよう制御する。RAM８は、入力されたデジタルオーディオデータを記憶する。RAM８に記憶されたデジタルオーディオデータは、メモリ制御部７の制御により読み出されDAC９に入力される。DAC９は、デジタルオーディオデータをアナログオーディオ信号に変換する。DAC９により変換されたアナログオーディオ信号は、オーディオ出力端子から出力される。オーディオ出力端子から出力されたアナログオーディオ信号は、オーディオ出力端子に接続された図示しないスピーカから出力される。
【００２１】
制御部１０は、ターンテーブル１に装着された高記録密度の光ディスクからHDレイヤーのマルチチャンネルエリア、２チャンネルステレオエリア及びCDレイヤーに記録されたTOC情報を順次読み取るようにサーボ制御部３を制御する。また、制御部１０は、後述するHDレイヤーのマスターTOCエリアに記録されたTOC情報からHDレイヤーのマルチチャンネルエリア及び２チャンネルステレオエリアの有無、CDレイヤーの有無を判別する。記憶部１１は、HDレイヤーのマルチチャンネルエリアから読み取ったTOC情報を記憶する記憶領域A（図示せず）、HDレイヤーの２チャンネルステレオエリアから読み取ったTOC情報を記憶する記憶領域B（図示せず）及びCDレイヤーから読み取ったTOC情報を記憶する記憶領域C（図示せず）を備える。
【００２２】
操作部１２は、光ディスクに記録された全てのオーディオデータのタイトルを外部表示装置（例えば、テレビジョン受信機、モニタ）に表示させる操作ボタン、外部表示装置に表示されたオーディオデータのタイトルを選択する選択ボタン、外部表示装置に表示するオーディオデータのタイトルを切り換える切換ボタン、外部表示装置に表示されたカーソルを移動させるカーソル移動ボタンの他に、再生ボタン、再生停止ボタン、早送りボタン、早戻しボタン等の本実施例の光ディスク再生装置を操作するための操作ボタンを備える。
【００２３】
OSD信号生成部１３は、制御部１０の制御により、記憶部１１に記憶されたTOC情報に基づいて、光ディスクに記録されたオーディオデータのタイトルやトラックナンバーを文字や図形等を用いて外部表示装置に表示するOSD（On Screen Display）信号を生成する。DAC１４は、OSD信号生成部１３から入力されたOSD信号をアナログ信号に変換する。DAC１４により変換されたアナログ信号は、ビデオ出力端子から出力される。ビデオ出力端子から出力されたOSD信号は、ビデオ出力端子に接続された図示しない外部表示装置により表示される。
【００２４】
次に、高記録密度の光ディスクに備えるHDレイヤーの構造を説明する。図２は、HDレイヤーの構造を説明する図である。図３は、CDレイヤーの構造を説明する図である。
図２に示すように、HDレイヤーは、光ディスクの内周から外周に向かってリードインゾーン、データゾーン、リードアウトゾーンが形成されている。データゾーンは、マスターTOCエリア、オーディオエリア及びエクストラデータエリアを備える。マスターTOCエリアには、ディスクに関する情報、エリアに関する情報、トラックに関する情報などのマスターTOC情報が記録されている。オーディオエリアは、２チャンネルのデジタルオーディオデータが記録されている２チャンネルステレオエリアと６チャンネルまでのマルチチャンネルのデジタルオーディオデータが記録されているマルチチャンネルエリアとを備える。
【００２５】
２チャンネルステレオエリアとマルチチャンネルエリアは、デジタルオーディオデータがトラックナンバー順に記録されるトラックエリアを備え、このトラックエリアの前後にエリアTOCが配置されている。２チャンネルステレオエリアに配置されたエリアTOCには、トラックエリアに記録される２チャンネルのデジタルオーディオデータのトラックを管理するエリアTOC情報（オーディオデータのタイトル情報、トラックの先頭アドレス情報等の情報）が記録されている。また、マルチチャンネルエリアに配置されたエリアTOCには、トラックエリアに記録されるマルチチャンネルのデジタルオーディオデータのトラックを管理するエリアTOC情報が記録されている。エクストラデータエリアは、オーディオデータ以外のデータを記録することができるエリアである。
【００２６】
また、CDレイヤーは、図３に示すようにCDの記録層の構造と同一であり、光ディスクの内周から外周に向かってリードインエリア、プログラムエリア、リードアウトエリアが形成されている。プログラムエリアには、２チャンネルのデジタルオーディデータがトラック単位で記録されている。リードインエリアには、プログラムエリアに記録されたトラックを管理するTOC情報が記録されている。
【００２７】
次に本発明の一実施例の光ディスク再生装置の再生動作を説明する。
図４は、本発明の一実施例の光ディスク再生装置が光ディスクから読み出したエリアTOC情報やTOC情報を記憶する動作を説明するフローチャートである。
【００２８】
図４に示すフローチャートのステップS1は、ユーザがターンテーブル１に光ディスクを装着するステップである。本実施例において、光ディスク再生装置に装着する光ディスクは、上述した高記録密度の光ディスク（上述したハイブリッドレイヤーディスク、シングルレイヤーディスク、デュアルレイヤーディスク）とする。
【００２９】
ステップS2は、制御部１１がHDレイヤーのマスターTOCエリアに記録されたマスターTOC情報を読み取る制御をする。制御部１１は、光ディスクがターンテーブル１に装着されると、装着された光ディスクのHDレイヤーからマスターTOCエリアに記録されたマスターTOC情報を読み取るようにサーボ制御部３を制御する。ステップS2において、マスターTOC情報を読み取ることができない場合は、本フローチャートの処理を終了する。
【００３０】
ステップS3は、HDレイヤーにマルチチャンネルエリアを有するか否かを制御部１０が判別するステップである。制御部１０は、ステップS2において読み取ったマスターTOC情報から、装着された光ディスクに備えられたHDレイヤーにマルチチャンネルエリアを有するか否かを判別する。マルチチャンネルエリアを有する場合は、ステップS4に進む。マルチチャンネルエリアを有しない場合は、ステップS6に進む。
【００３１】
ステップS4は、HDレイヤーのマルチチャンネルエリアからエリアTOC情報を読み出すステップである。制御部１０は、HDレイヤーのマルチチャンネルエリアからエリアTOC情報を読み出すようにサーボ制御部３を制御する。
【００３２】
ステップS5は、HDレイヤーのマルチチャンネルエリアから読み出したエリアTOC情報を記憶部１１に記憶するステップである。制御部１０は、ステップS4においてHDレイヤーのマルチチャンネルエリアから読み出されたエリアTOC情報を記憶部１１の記憶領域Aに記憶する制御する。
【００３３】
ステップS6は、装着された光ディスクのHDレイヤーに２チャンネルステレオエリアを有するか否かを制御部１０が判別するステップである。制御部１０は、ステップS2において読み取ったマスターTOC情報から、装着された光ディスクに備えられたHDレイヤーに２チャンネルステレオエリアを有するか否かを判別する。２チャンネルステレオエリアを有する場合は、ステップS7に進む。２チャンネルステレオエリアを有しない場合は、ステップS9に進む。
【００３４】
ステップS7は、HDレイヤーの２チャンネルステレオエリアからエリアTOC情報を読み出すステップである。制御部１０は、HDレイヤーの２チャンネルステレオエリアからエリアTOC情報を読み出すようにサーボ制御部３を制御する。
【００３５】
ステップS8は、HDレイヤーの２チャンネルステレオエリアから読み出したエリアTOC情報を記憶部１１に記憶するステップである。制御部１０は、ステップS7においてHDレイヤーの２チャンネルステレオエリアから読み出されたエリアTOC情報を記憶部１１の記憶領域Bに記憶する制御する。
【００３６】
ステップS9は、装着された光ディスクのCDレイヤーを有するか否かを制御部１０が判別するステップである。制御部１０は、ステップS2において読み取ったマスターTOC情報から、CDレイヤーを有するか否かを判別する。CDレイヤーを有する場合は、ステップS10に進む。CDレイヤーを有しない場合は、TOC情報の記憶動作を終了する。
【００３７】
ステップS10は、CDレイヤーからTOC情報を読み出すステップである。制御部１０は、CDレイヤーからTOC情報を読み出すようにサーボ制御部３を制御する。
【００３８】
ステップS11は、CDレイヤーから読み出したTOC情報を記憶部１１に記憶するステップである。制御部１０は、ステップS10においてCDレイヤーから読み出されたTOC情報を記憶部１１の記憶領域Cに記憶する制御する。
【００３９】
図５は、本発明の一実施例の光ディスク再生装置がオーディオデータのタイトルを表示する動作及び選択したオーディオデータを再生する動作を説明するフローチャートである。図６は、外部表示装置の表示画面に表示されたオーディオデータのタイトルを示す図である。
【００４０】
図５に示すフローチャートのステップS21は、ターンテーブル１に装着された光ディスクに記録された全てのオーディオデータのトラックタイトルを外部表示装置に表示する操作があるか否かを制御部１０が判別するステップである。制御部１０は、操作部１２から光ディスクのHDレイヤーのマルチチャンネルエリア、２チャンネルステレオエリア及びCDレイヤーに記録された全てのオーディオデータのトラックタイトルを外部表示装置に表示する操作指示があるか否かを判別する。全てのオーディオデータのトラックタイトルを表示する操作がある場合は、ステップS22に進む。全てのオーディオデータのトラックタイトルを表示する操作がない場合は、ステップS23に進む。
【００４１】
ステップS22は、ターンテーブル１に装着された光ディスクに記録された全てのオーディオデータのトラックタイトルを外部表示装置に表示するステップである。制御部１０は、光ディスクから読み出され記憶部１１の記憶領域A、記憶領域B及び記憶領域Cに記憶されたマルチチャンネルエリア及び２チャンネルステレオエリアのエリアTOC情報、CDレイヤーのTOC情報に基づいて、光ディスクに記録された全てのオーディオデータのトラックタイトル及びトラックナンバーを外部表示装置に表示するためのOSD信号を生成させるようにOSD信号生成部１３を制御する。
【００４２】
ステップS22において、例えば、マルチチャンネルエリアと２チャンネルステレオエリアのエリアTOC情報が記憶部１１に記憶されている場合、すなわち、ターンテーブル１に装着された光ディスクがHDレイヤーにマルチチャンネルエリア及び２チャンネルステレオエリアを有するシングルレイヤーディスクである場合、マルチチャンネルエリア及び２チャンネルステレオエリアに記録されたオーディオデータのトラックタイトル及びトラックナンバーが外部表示装置に表示される。図６に示すように、マルチチャンネルエリアに記録されたオーディオデータのトラックタイトル及びトラックナンバーは表示画面の表示領域Aに表示され、２チャンネルステレオエリアに記録されたオーディオデータのトラックタイトル及びトラックナンバーは表示画面の表示領域Bに表示される。ここで、記憶部１１に記憶されたエリアTOC情報にオーディオデータのタイトル情報が含まれていない場合は、トラックナンバーのみを外部表示装置に表示する。
【００４３】
ステップS23は、マルチチャンネルエリアに記録されたオーディオデータのトラックタイトルを表示する操作があるか否かを制御部１０が判別するステップである。制御部１０は、操作部１２から外部表示装置にマルチチャンネルエリアに記録されたオーディオデータのトラックタイトルを表示する操作指示があるか否かを判別する。マルチチャンネルエリアのオーディオデータのトラックタイトルを表示する操作がある場合は、ステップS24に進む。マルチチャンネルエリアのオーディオデータのトラックタイトルを表示する操作が定められた時間内にない場合は、ステップS25に進む。
【００４４】
ステップS24は、マルチチャンネルエリアに記録されたオーディオデータのトラックタイトルを外部表示装置に表示するステップである。制御部１０は、記憶部１１の記憶領域Aに記憶されたマルチチャンネルエリアのエリアTOC情報に基づいて、マルチチャンネルエリアに記録されたオーディオデータのトラックタイトル及びトラックナンバーを外部表示装置に表示するためのOSD信号を生成させるようにOSD信号生成部１３を制御する。マルチチャンネルエリアに記録されたオーディオデータのトラックタイトル及びトラックナンバーは、外部表示装置の表示画面の表示領域Aに表示される。
【００４５】
ステップS24において、記憶部１１の記憶領域Aに記憶されたマルチチャンネルエリアのエリアTOC情報にオーディオデータのタイトル情報が含まれていない場合は、トラックナンバーのみを表示領域Aに表示する。また、記憶部１１の記憶領域AにマルチチャンネルエリアのエリアTOC情報が記憶されていない場合、すなわち、HDレイヤーにマルチチャンネルエリアを有していない光ディスクを再生する場合は、表示領域Aに再生する光ディスクのHDレイヤーにマルチチャンネルエリアを有していないことを示す表示をする。
【００４６】
ステップS25は、２チャンネルステレオエリアに記録されたオーディオデータのトラックタイトルを表示する操作があるか否かを制御部１０が判別するステップである。制御部１０は、操作部１２から外部表示装置に２チャンネルステレオエリアに記録されたオーディオデータのトラックタイトルを表示する操作指示があるか否かを判別する。２チャンネルステレオエリアのオーディオデータのトラックタイトルを表示する操作がある場合は、ステップS26に進む。２チャンネルステレオエリアのオーディオデータのトラックタイトルを表示する操作が定められた時間内にない場合は、ステップS27に進む。
【００４７】
ステップS26は、２チャンネルステレオエリアに記録されたオーディオデータのトラックタイトルを外部表示装置に表示するステップである。制御部１０は、記憶部１１の記憶領域Bに記憶された２チャンネルステレオエリアのエリアTOC情報に基づいて、２チャンネルステレオエリアに記録されたオーディオデータのトラックタイトル及びトラックナンバーを外部表示装置に表示するためのOSD信号を生成させるようにOSD信号生成部１３を制御する。２チャンネルステレオエリアに記録されたオーディオデータのトラックタイトル及びトラックナンバーは、外部表示装置の表示画面の表示領域Bに表示される。
【００４８】
ステップS26において、記憶部１１の記憶領域Bに記憶された２チャンネルステレオエリアのエリアTOC情報にオーディオデータのタイトル情報が含まれていない場合は、トラックナンバーのみが表示領域Bに表示する。また、記憶部１１の記憶領域Bに２チャンネルステレオエリアのエリアTOC情報が記憶されていない場合、すなわち、HDレイヤーに２チャンネルステレオエリアを有していない光ディスクを再生する場合は、表示領域Bに再生する光ディスクのHDレイヤーに２チャンネルステレオエリアを有していないことを示す表示をする。
【００４９】
ステップS27は、CDレイヤーに記録されたオーディオデータのタイトルを表示する操作があるか否かを制御部１０が判別するステップである。制御部１０は、操作部１２から外部表示装置にCDレイヤーに記録されたオーディオデータのトラックタイトルを表示する操作指示があるか否かを判別する。CDレイヤーのオーディオデータのトラックタイトルを表示する操作がある場合は、ステップS28に進む。CDレイヤーのオーディオデータのトラックタイトルを表示する操作が定められた時間内にない場合は、ステップS29に進む。
【００５０】
ステップS28は、CDレイヤーに記録されたオーディオデータのトラックタイトルを外部表示装置に表示するステップである。制御部１０は、記憶部１１の記憶領域Cに記憶されたCDレイヤーのTOC情報に基づいて、CDレイヤーに記録されたオーディオデータのトラックタイトル及びトラックナンバーを外部表示装置に表示するためのOSD信号を生成させるようにOSD信号生成部１３を制御する。CDレイヤーに記録されたオーディオデータのトラックタイトル及びトラックナンバーは、外部表示装置の表示画面の表示領域Cに表示される。
【００５１】
ステップS28において、記憶部１１の記憶領域Cに記憶されたCDレイヤーのTOC情報にオーディオデータのタイトル情報が含まれていない場合は、トラックナンバーのみが表示領域Cに表示する。また、記憶部１１の記憶領域CにCDレイヤーのTOC情報が記憶されていない場合、すなわち、CDレイヤーを備えていない光ディスクを再生する場合は、表示領域Cに再生する光ディスクにCDレイヤーを備えていないことを示す表示をする。
【００５２】
ステップS29は、外部表示装置に表示されたオーディオデータのトラックタイトルを選択する操作があるか否かを制御部１０が判別するステップである。制御部１０は、操作部１２から外部表示装置に表示されたオーディオデータのトラックタイトルを選択する操作の指示があるか否かを判別する。本実施例の光ディスク再生装置は、外部表示装置にオーディオデータのトラックタイトル及びトラックナンバーを表示するときにカーソルも表示する。ユーザは、外部表示装置に表示されたカーソルを移動させる操作をし、オーディオデータのトラックタイトルを選択する。ここで、外部表示装置にオーディオデータのトラックナンバーのみが表示されている場合、ユーザはトラックナンバーを選択する。
【００５３】
ステップS30は、ステップS29において選択されたトラックタイトルのオーディオデータを再生するステップである。制御部１１は、選択されたトラックタイトルのオーディオデータを管理するエリアTOC情報又はTOC情報を記憶部１１から読み出し、当該オーディオデータを再生するようにサーボ制御部３や信号処理部６を制御する。
【００５４】
ステップS29において、HDレイヤーのマルチチャンネルエリアに記録されたオーディオデータを選択した場合、制御部１０は、再生するレイヤーをHDレイヤーに切り換えマルチチャンネルエリアを選択する制御をする。そして、制御部１０は、記憶部１１の記憶領域Aに記憶されたマルチチャンネルエリアのエリアTOC情報を読み出し、読み出されたエリアTOC情報から選択されたオーディオデータのトラックの先頭アドレス情報にしたがって、当該オーディオデータの再生を開始する。
【００５５】
上述した本実施例の光ディスク再生装置は、高記録密度の光ディスクが装着されると、レイヤー又はエリアからTOC情報を読み出し記憶部に記憶する。そして、本実施例の光ディスク再生装置は、記憶部に記憶したTOC情報に基づいて、ユーザの操作指示により、装着された光ディスクに記録された全てのオーディオデータのトラックタイトルを外部表示装置に表示する。また、本実施例の光ディスク再生装置は、ユーザの操作指示により、外部表示装置に表示するオーディオデータのタイトルをマルチチャンネルエリア、２チャンネルステレオエリア、CDレイヤー毎に切り換えることができる。このため、ユーザは、外部表示装置に表示された表示内容から、装着された光ディスクのレイヤー及びエリアに記録されたオーディオデータを容易に確認することができる。
【００５６】
また、本実施例の光ディスク再生装置は、外部表示装置に表示されたオーディオデータのトラックタイトルをユーザが選択することができ、ユーザにより選択されたトラックタイトルのオーディオデータを再生することができる。ユーザにより選択されたオーディオデータを再生するとき、本実施例の光ディスク再生装置は、従来の再生装置のようにレイヤー及びエリアを切り換える度にTOC情報を読み出す動作を行なわないため、選択されたオーディオデータの直ちに再生を開始することができる。
【図面の簡単な説明】
【００５７】
【図１】本発明の実施例である光ディスク再生装置の構成を示すブロック図。
【図２】HDレイヤーの構造を説明する図。
【図３】CDレイヤーの構造を説明する図。
【図４】光ディスクから読み出したTOC情報を記憶する動作を説明するフローチャート。
【図５】オーディオデータのタイトル表示動作及びオーディオデータの再生動作を説明するフローチャート。
【図６】外部表示装置の表示画面に表示されたオーディオデータのタイトルを示す図。
【符号の説明】
【００５８】
１…ターンテーブル、２…スピンドルモータ、３…サーボ制御部、４…光ピックアップ、５…再生アンプ、６…信号処理部、７…メモリ制御部、８…RAM、９…DAC、１０…制御部、１１…記憶部、１２…操作部、１３…OSD信号生成部、１４…DAC
【図１】
2006331573.tif 000003
【図２】
2006331573.tif 000004
【図３】
2006331573.tif 000005
【図４】
2006331573.tif 000006
【図５】
2006331573.tif 000007
【図６】
2006331573.tif 000008